(57)【要約】【課題】容易に昇降することができる電柱用昇降具を提供する。【解決手段】電柱用昇降具１０は、上下に並んだ引掛穴１４，１５を有するベース部１２と、引掛穴１４，１５の間においてベース部１２から引掛穴１４，１５の向いた方向に突出するステップ２１，２２と、を備える。ベース部１２が電柱９０の外周面に当接し、引掛穴１４，１５が上下の足場ボルト９２にそれぞれ引っ掛けられ、ステップ２１，２２がベース部１２から突出する向きは、足場ボルト９２が電柱９０の外周面から突出する向きとされている。【選択図】図１
2019146418.tif 000002
【特許請求の範囲】
【請求項１】
上下に並んだ複数の引掛穴を有するベース部と、
前記引掛穴の隣り同士の間において前記ベース部から前記引掛穴の向いた方向に突出するステップと、を備え、
前記ベース部が電柱の外周面に当接し、前記電柱の外周面から径方向に突出するとともに上下に並んだ複数の足場ボルトに前記引掛穴が引っ掛けられ、前記ステップが前記ベース部から突出する向きは、前記足場ボルトが前記電柱の外周面から突出する向きとされている電柱用昇降具。
【請求項２】
前記ベース部に設けられ、前記電柱に巻かれて前記ベース部を前記電柱に固定するベルトを更に備える請求項１に記載の電柱用昇降具。
【請求項３】
前記引掛穴が、
前記ベース部に形成された孔状の幅広部と、
前記幅広部よりも幅が狭く前記幅広部から上に切り欠いて形成された幅狭部と、を有する
請求項１又は２に記載の電柱用昇降具。
【発明の詳細な説明】
【技術分野】
【０００１】
本発明は、作業者が電柱を昇降するための電柱用昇降具に関する。
【背景技術】
【０００２】
特許文献１には、電柱用昇降具が開示されている。この電柱用昇降具は本体部である伸縮棒を有しており、リング状のフックがその伸縮棒の先端に設けられている。電柱用昇降具の使用の際には、伸縮棒を伸長させて、フックの開口を電柱の足場ボルトに係止させて、伸縮棒を足場ボルトから垂下させる。そして、伸縮棒の下端を地面に当接させて、伸縮棒を電柱に立て掛ける。伸びた状態の伸縮棒の側面には、複数の挿入孔が上下に並んで形成されている。これら挿入孔にステップをそれぞれ差し込むことによって、ステップが伸縮棒に取り付けられる。これら挿入孔の向きは横向きであり、ステップが伸縮棒から横方向に突出する。一方、フックの開口の向きは手前の向きであり、足場ボルトがそのフックに挿入されるため、足場ボルトが突出する向きは手前の向きである。従って、足場ボルトとステップは、平行ではなく、ねじれの位置の関係にある。
【先行技術文献】
【特許文献】
【０００３】
【特許文献１】特開２０１３−１９２４０２号公報
【発明の概要】
【発明が解決しようとする課題】
【０００４】
ところが、特許文献１に記載の技術では、伸縮棒が電柱に立て掛けられているため、電柱昇降具が安定せず、この電柱昇降具では作業者が昇降しづらい。また、足場ボルトとステップがねじれの位置の関係にあるので、作業者が手足をステップから足場ボルトに掛け替えづらい上、足場ボルトからステップに掛け替えづらい。
【０００５】
そこで、本発明は、上記事情に鑑みてなされたものである。その発明の目的は、容易に昇降することができる電柱用昇降具を提供することである。
【課題を解決するための手段】
【０００６】
以上の課題を解決するために、電柱用昇降具が、上下に並んだ複数の引掛穴を有するベース部と、前記引掛穴の隣り同士の間において前記ベース部から前記引掛穴の向いた方向に突出するステップと、を備え、前記ベース部が電柱の外周面に当接し、前記電柱の外周面から径方向に突出するとともに上下に並んだ複数の足場ボルトに前記引掛穴が引っ掛けられ、前記ステップが前記ベース部から突出する向きは、前記足場ボルトが前記電柱の外周面から突出する向きとされている。
【０００７】
以上によれば、上下に並んだ複数の引掛穴が複数の足場ボルトに引っ掛けられるので、ベース部が安定する。
ステップが引掛穴の隣り同士の間にあるため、引掛穴が足場ボルトに引っ掛けられると、ステップが上下に隣り合う足場ボルトの間に配置される。そのため、作業者が足場ボルトのみならず、ステップにも位置取りすることができる。
ステップがベース部から突出する向きは足場ボルトが電柱の外周面から突出する向きとされているため、作業者が手足をステップから足場ボルトに又はその逆に容易に掛け替えることができる。
よって、作業者が電柱用昇降具を用いて容易に昇降することができる。
【発明の効果】
【０００８】
本発明の実施形態によれば、作業者が電柱用昇降具を用いて容易に昇降することができる。
【図面の簡単な説明】
【０００９】
【図１】電柱用昇降具の正面図である。
【図２】前記電柱用昇降具が電柱に取り付けられた状態で前記電柱用昇降具及び前記電柱を示す側面図である。
【発明を実施するための形態】
【００１０】
以下、図面を参照して、本発明の実施形態について説明する。以下に述べる実施形態には、本発明を実施するために技術的に好ましい種々の限定が付されている。しかしながら、本発明の範囲を以下の実施形態及び図示例に限定するものではない。
【００１１】
図１は、電柱用昇降具１０の正面図である。図２は、電柱用昇降具１０が電柱９０に取り付けられた状態で電柱用昇降具１０及び電柱９０を示す側面図である。
【００１２】
図２に示すように、電柱９０には、複数の足場ボルト９２が設けられている。これら足場ボルト９２は、電柱９０の外周面から電柱９０の径方向に突出している。これら足場ボルト９２は、電柱９０の中心軸の方向、つまり上下方向に等間隔で配列されている。
【００１３】
図１及び図２に示すように、電柱用昇降具１０はベース部１２、ステップ２１，２２、ブラケット２３，２４、バックル３１付きの締め付けベルト３０及びベルト通し部３９を備える。
ベース部１２は、例えば鋼、ステンレス鋼、アルミニウム及びアルミニウム合金等の金属材料からなる長方形板状の部材である。このベース部１２の長手方向が電柱９０の中心軸方向、つまり上下方向に対してほぼ平行になって、ベース部１２が電柱９０の外周面に当接する。ベース部１２は、電柱９０の外周面形状に合うように湾曲していてもよいし、平たく形成されていてもよい。
【００１４】
ベース部１２には、第１の引掛穴１４及び第２の引掛穴１５がベース部１２の長手方向に並んで形成されている。第１の引掛穴１４はベース部１２の長手方向におけるベース部１２の一端部寄りに配され、第２の引掛穴１５はベース部１２の長手方向におけるベース部１２の他端部寄りに配されている。
【００１５】
第１の引掛穴１４はダルマ穴である。つまり、第１の引掛穴１４は、円孔状の幅広部１４ａと、幅広部１４ａよりも幅の狭い方形状の幅狭部１４ｂとから構成されている。幅狭部１４ｂが幅広部１４ａからベース部１２の長手方向に切り欠き、幅広部１４ａと幅狭部１４ｂが連続している。幅広部１４ａの直径は足場ボルト９２の先端頭部の直径以上であり、幅狭部１４ｂの幅が足場ボルト９２の先端頭部の直径未満且つ足場ボルト９２の軸部の直径以上である。
【００１６】
第２の引掛穴１５は、第１の引掛穴１４と同様に、円形状の幅広部１５ａと、幅広部１５ａよりも幅の狭い方形状の幅狭部１５ｂとから構成されている。幅狭部１５ｂが幅広部１５ａから切り欠く向きは、幅狭部１４ｂが幅広部１４ａから切り欠く向きと同じである。
【００１７】
引掛穴１４，１５間の間隔、特に幅広部１４ａ、１５ａ間の間隔と幅狭部１４ｂ，１５ｂ間の間隔は、上下に隣り合う足場ボルト９２間の間隔に等しい。
【００１８】
ベース部１２には、ステップ２１とステップ２２が第１の引掛穴１４と第２の引掛穴１５との間においてベース部１２の長手方向に並んで設けられている。ステップ２１及びステップ２２が溶接等によってベース部１２に固着されている。なお、ステップ２１及びステップ２２がフック又はボルト等の留め具によってベース部１２に固定されており、留め具の固定が解除されることによってステップ２１及びステップ２２がベース部１２から取り外し可能となってもよい。
【００１９】
ステップ２１及びステップ２２は、ベース部１２から、引掛穴１４，１５の向いた方向へ突出している。また、ステップ２１及びステップ２２がベース部１２から突出する方向は、ベース部１２の厚み方向である。つまり、ステップ２１及びステップ２２がベース部１２から突出する方向は、ベース部１２の長手方向及び短手方向に対して垂直な方向である。
ステップ２１とステップ２２の間の間隔は、ステップ２１と第１の引掛穴１４の幅狭部１４ｂとの間の間隔に等しい上、ステップ２２と第２の引掛穴１５の幅狭部１５ｂとの間の間隔にも等しい。
【００２０】
ステップ２１とベース部１２によって挟まれる隅にブラケット２３が設けられ、ステップ２１がブラケット２３によって支持される。同様に、ステップ２２がブラケット２４によって支持される。ブラケット２３，２４及びステップ２１，２２は、例えば鋼、ステンレス鋼、アルミニウム及びアルミニウム合金等の金属材料からなる。
【００２１】
ベース部１２には、締め付けベルト３０が設けられている。具体的には、ベース部１２におけるステップ２１とステップ２２との間にベルト通し部３９が設けられており、締め付けベルト３０がベルト通し部３９に通されている。締め付けベルト３０の幅がベルト通し部３９の幅よりも小さく、締め付けベルト３０がベース部１２の長手方向に可動となっている。
【００２２】
締め付けベルト３０の一端にはバックル３１が設けられている。締め付けベルト３０の他端がバックル３１に通されて、締め付けベルト３０の一端と他端の間の中途部がバックル３１に締め付けられることによって、締め付けベルト３０が輪状に保持される。
【００２３】
続いて、電柱用昇降具１０を電柱９０に取り付ける方法について説明する。
締め付けベルト３０がバックル３１によって輪状に保持されている場合には、作業者がバックル３１による締め付けベルト３０の締め付けを解除して、締め付けベルト３０を輪の状態から解く。
次に、作業者が、第１の引掛穴１４を第２の引掛穴１５の上にするようにベース部１２を立てて、そのベース部１２を持ち上げるとともに電柱９０に近づける。
【００２４】
次に、作業者が、上下に隣り合う足場ボルト９２のうち上側の足場ボルト９２を第１の引掛穴１４の幅広部１４ａに挿入し、下側の足場ボルト９２を第２の引掛穴１５の幅広部１５ａに挿入する。
次に、作業者が上側の足場ボルト９２を第１の引掛穴１４の幅狭部１４ｂに引っ掛けるとともに、下側の足場ボルト９２を第２の引掛穴１５の幅狭部１５ｂに引っ掛ける。これにより、ベース部１２の重量荷重を足場ボルト９２に掛ける。
【００２５】
次に、作業者が、ベース部１２を電柱９０の外周面に押し当てる。
次に、作業者が、締め付けベルト３０をベルト通し部３９に通した上で電柱９０に巻いて、締め付けベルト３０の一端のバックル３１に締め付けベルト３０の他端を通す。そして、作業者が、締め付けベルト３０によって電柱９０を締め付けて、締め付けベルト３０をバックル３１によって締結する。これにより、ベース部１２を電柱９０に確り固定する。
【００２６】
以上のように作業者が電柱用昇降具１０を電柱９０に取り付けると、ステップ２１，２２が上下に隣り合う足場ボルト９２の間に配置される。また、ステップ２１，２２と足場ボルト９２は電柱９０の外周面から同一の向きに突出し、ステップ２１，２２と足場ボルト９２が平行になる。そのため、上下に隣り合う足場ボルト９２の間がステップ２１，２２によって補完される。よって、作業者が足場ボルト９２のみならず、隣り合う足場ボルト９２間のステップ２１，２２にも位置取りすることができる。また、作業者が手足をステップ２１，２２及び足場ボルト９２に掛けて容易に昇降することができる。特に小柄な作業者でも容易に昇降できる。
【００２７】
また、ステップ２１とその上の足場ボルト９２が平行であるため、作業者が手足をステップ２１から足場ボルト９２に又はその逆に容易に掛け替えることができる。同様に、ステップ２２とその下の足場ボルト９２が平行であるため、作業者が手足をステップ２２から足場ボルト９２に又はその逆に容易に掛け替えることができる。
【００２８】
ベース部１２が上下２本の足場ボルト９２に引っ掛かるため、電柱用昇降具１０が安定して電柱９０に取り付けられる。作業者及び電柱用昇降具１０等の重量荷重が上下２本の足場ボルト９２に分散して掛かるため、耐荷重の向上が図れる。
【００２９】
以上、本発明を実施するための形態について説明したが、上記実施形態は本発明の理解を容易にするためのものであり、本発明を限定して解釈するためのものではない。また、本発明はその趣旨を逸脱することなく変更、改良され得るとともに、本発明にはその等価物も含まれる。以上の実施形態からの変更点について以下に説明する。以下に述べる変更点は可能な限り組み合わせて適用してもよい。
【００３０】
以上の実施形態では、２体のステップ２１，２２が引掛穴１４，１５の間において上下に並んで設けられている。それに対して、３体以上のステップが引掛穴１４，１５の間において上下に並んで設けられてもよいし、１体のステップが引掛穴１４，１５の間に設けられてもよい。
【００３１】
以上の実施形態では、２つの引掛穴１４，１５がベース部１２に上下に並んで形成されている。それに対して、ベース部１２を上下に長くして、引掛穴１４，１５と同一形状の３つ以上の引掛穴が上下に並んでベース部１２に形成されていてもよい。そうすれば、上下に並んだ３本以上の足場ボルト９２が引掛穴にそれぞれ挿入され、これら引掛穴が足場ボルト９２にそれぞれ引っ掛けられるため、耐荷重が更に向上する。この場合、１又は２以上のステップが隣り合う引掛穴の間においてベース部１２から、引掛穴の向いた方向へ突出する。
【００３２】
以上の実施形態では、ベース部１２が電柱９０の外周面に直接当接する。ゴムや小さな凹凸等の滑り止めがベース部１２に設けられ、その滑り止めがベース部１２と電柱９０の外周面に挟まれて、ベース部１２が滑り止めを介して電柱９０の外周面に当接するものとしてもよい。これにより、ベース部１２が電柱９０の外周面に対して位置ずれすることを防止できる。
【符号の説明】
【００３３】
１０…電柱用昇降具
１２…ベース部
１４，１５…引掛穴
１４ａ，１５ａ…幅広部
１４ｂ，１５ｂ…幅狭部
２１，２２…ステップ
３０…締め付けベルト
９０…電柱
９２…足場ボルト
【図１】
2019146418.tif 000003
【図２】
2019146418.tif 000004